(57)【要約】【課題】通常価格等の主情報を表示する大カード類が挿入されたカードケースに、新たな値引き価格等の副情報を表示する小カード類を、粘着テープ以外の方向で表示することを可能にするカードケースを提供すること。【解決手段】前方部材１１と、前方部材１１と上部１５で連結される後方部材１２とからなるカードケースであって、前方部材１１は、略同じ形状の２枚の板状部材１１１、１１２を背中合わせに重ねて下端１９で接合し、上部が開口した大カード類挿入溝１３を形成すると共に、２枚の板状部材の内の後面部材１１２と裏面部材１４を背中合わせで且つ裏面部材１４の下端が２枚の板状部材１１１、１１２の接合部分である下端１９より下方に延びるように重ねて後面部材１１２の下方部分で接合し、下部が開口した小カード類挿入溝１８を形成してなる。【選択図】図１
0003151377.tif 000002
【実用新案登録請求の範囲】
【請求項１】
前方部材と、該前方部材と上部で連結される後方部材とからなるカードケースであって、
前方部材は、略同じ形状の２枚の板状部材を背中合わせに重ねて下端で接合し、上部が開口した大カード類挿入溝を形成すると共に、２枚の板状部材の内の後面部材と裏面部材を背中合わせで且つ該裏面部材の下端が該２枚の板状部材の下端より下方に延びるように重ねて該後面部材の下方部分で接合し、下部が開口した小カード類挿入溝を形成してなることを特徴とするカードケース。
【請求項２】
該裏面部材の該後面部材と対向する側の面に、小カード類の抜け止め用の爪部を形成したことを特徴とする請求項１記載のカードケース。
【請求項３】
小カード類を小カード類挿入溝から差込み、吊り下げ状に支持することを特徴とする請求項１又は２記載のカードケース。
【請求項４】
該裏面部材の下端は、該２枚の板状部材の下端より２〜１０ｍｍ下方の位置にあることを特徴とする請求項１〜３のいずれか１項に記載のカードケース。
【請求項５】
商品陳列棚の前端のレール部の溝に装着されることを特徴とする請求項１〜４のいずれか１項に記載のカードケース。
【考案の詳細な説明】
【技術分野】
【０００１】
本考案は、商品陳列棚の前端部分に取り付けて、商品の通常価格等の主情報と値引き価格等の副情報の同時表示に好適なカードケースに関するものである。
【背景技術】
【０００２】
従来、家電量販店、スーパー、ドラッグストア等において、ゴンドラ等に陳列される陳列商品の展示に際し、これら商品の存在及び商品名や価格等を表示するポップ紙の保持方式としては、例えば図３に示すような前方部材１０１と、可撓性ヒンジ１０２により前方部材１０１と上部で連結される後方部材１０３とからなり、前方部材１０１は、略同じ形状の２枚の板状部材１０４、１０５を背中合わせに重ねて下端で接合し、上部が開口したカード類挿入溝１０６を形成してなるカードケース１００が知られている。このようなカードケース１００は商品陳列棚の前端部分に取り付けられる。
【０００３】
家電量販店などにおいては、特別セール期間による値引き、あるいは時間帯値引きなどがあり、通常価格１０７の他、値引き後の価格１０８を通常価格と共に、表示することがある。このような場合、従来のカードケース１００においては、値引き後の値札をカードケース１００の下方に粘着テープ１０９で貼り付けて表示していた。
【考案の概要】
【考案が解決しようとする課題】
【０００４】
しかしながら、このような粘着テープの使用による値引きカードの表示は、見た目に悪く、これが商品の品質への評価にも繋がりかねず、新たな表示方法が望まれていた。また、このような粘着テープの貼付は新たな作業工程となるため煩雑となっており、簡単な方法による値引きカードの表示方法が望まれていた。
【０００５】
従って、本考案の目的は、通常価格等の主情報を表示する大カード類が挿入されたカードケースに、新たな値引き価格等の副情報を表示する小カード類を、粘着テープ以外の方向で表示することを可能にするカードケースを提供することにある。
【０００６】
すなわち、本考案は、前方部材と、該前方部材と上部で連結される後方部材とからなるカードケースであって、前方部材は、略同じ形状の２枚の板状部材を背中合わせに重ねて下端で接合し、上部が開口した大カード類挿入溝を形成すると共に、２枚の板状部材の内の後面部材と裏面部材を背中合わせで且つ該裏面部材の下端が該２枚の板状部材の下端より下方に延びるように重ねて該後面部材の下方部分で接合し、下部が開口した小カード類挿入溝を形成してなることを特徴とするカードケースを提供するものである。
【考案の効果】
【０００７】
本考案によれば、新たな値引き価格等の副情報を表示する小カード類を、小カード類挿入口から挿入し、吊り下げ状に表示できるため、通常価格等の主情報を表示するカードが挿入されたカードケースに、新たな値引き価格等の副情報を表示するカードを、粘着テープ以外の方向で表示することが可能となる。
【図面の簡単な説明】
【０００８】
【図１】本実施の形態例のカードケースの右側面図である。
【図２】本例のカードケースの斜視図である。
【図３】従来のカードケースの使用方法を説明するための斜視図である。
【考案を実施するための形態】
【０００９】
次に、本考案の実施の形態におけるカードケースを図１及び図２を参照して説明する。本明細書中、「上下」及び「左右」は使用状態における顧客側から見た方向を言う。
【００１０】
カードケース１０は、前方部材１１と、前方部材１１と上部１５で連結される後方部材１２とからなり、前方部材１１は、略同じ形状の２枚の板状部材１１１、１１２を背中合わせに重ねて下端１９で接合し、上部が開口した大カード類挿入溝１３を形成すると共に、２枚の板状部材１１１、１１２の内の後面部材１１２と裏面部材１４３を背中合わせで且つ裏面部材１４３の下端１４４が２枚の板状部材１１１、１１２の下端１９より下方に延びるように重ねて後面部材１１２の下方部分１４５で接合し、下部が開口した小カード類挿入溝１８を形成してなるものである。
【００１１】
カードケース１０は、押出成形品の樹脂製であり、前方部材１１、後方部材１２及び裏面部材１４は一体化している。これにより、安価に製造可能である。カードケース１０は、図１に示す側面形状のものが、左右方向に連続している。左右方向の長さは陳列棚の左右方向長さや使用目的により適宜の長さに決定される。また、２枚の板状部材１１１、１１２の内、少なくとも前面部材１１１は透明部材である。これにより、２枚の板状部材１１１、１１２内に挿入された大カード類の表示を外から鮮明に読み取ることができる。
【００１２】
カードケース１０において、前方部材１１は、２枚の板状部材１１１、１１２と裏面部材１４からなる。裏面部材１４は、上下長さが２枚の板状部材１１１、１１２と比べて顕著に短尺のものである。裏面部材１４の側面視形状は、２枚の板状部材１１１、１１２のように、平板状のものであってもよいが、本例のように、平板状の本体部１４３の先端側、すなわち、小カード類挿入溝１８の開口部分から僅かに内側（前方側）に屈曲し、更に屈曲して平板状の本体部と同じ方向に延びる先端部１４２を有するものが、小カード類の保持力が高まる点で好ましい。
【００１３】
後面部材１１２と裏面部材１４３の接合点１４５は、後面部材１１２の先端側（下方部分）であれば特に制限はないが、具体的には２枚の板状部材１１１、１１２の接合点１９から８〜１５ｍｍ程度上方であればよい。２枚の板状部材１１１、１１２の接合点１９から後面部材１１２と裏面部材１４３の接合点１４５までの長さ（Ｙ）は、小カード類Ｂをクリップする部分であり、この長さ（Ｙ）が短過ぎると、小カード類Ｂのクリップ力が強くなり過ぎてカード類が入れ難くなったり、カード類を出すときに破れたりし、また、この長さ（Ｙ）が長過ぎると、クリップ力が低下すると共に、小カード類Ｂが深く入り過ぎて価格表示部分が隠れる恐れがある。
【００１４】
前方部材１１において、後面部材１１２と裏面部材１４３は、背中合わせ部分（図１中、（Ｙ）部分）が短いため、隙間なく密着する部分は先端側の一部となり易い。このため、裏面部材１４３の後面部材１１２と対向する側の面に、小カード類Ｂの抜け止め用の爪部１４３を形成することが好ましい。爪部１４３は突起状のものであればよく、好適には、爪の刃が斜め上方に向いた鋸刃状のものが、小カード類Ｂの抜け止め効果が顕著になる点で好ましい。爪部１４３は、上下方向に所定のピッチで複数個形成してもよい。
【００１５】
裏面部材１４の下端１４４は、２枚の板状部材１１１、１１２の接合点（下端）１９より、２枚の板状部材１１１、１１２が延びる方向に沿って、２〜１０ｍｍ、好ましくは３〜８ｍｍ下方に位置するもの（図１中、符号Ｘに相当する長さ）が好適である。符号Ｘに相当する長さが、この範囲であると、小カード類Ｂの挿入が行ない易く、且つ挿入後の小カード類Ｂの表示方向が下方に垂れることなく、顧客側に向き易くなる。符号Ｘに相当する長さが短過ぎると、小カード類Ｂが下方に垂れて顧客側から見え難くなり、符号Ｘに相当する長さが長過ぎると、行き交う顧客や店員に当たる可能性が高くなり、また、下段の棚板上の商品の取り出しに障害がで易くなる。
【００１６】
後方部材１２は、設置場所に掛止するための部材である。本例では、鉛直部材１２１と、鉛直部材１２１の略中間位置で且つ裏面から後面部材１１２に延びる水平部材１２２とからなる。なお、図１中、水平部材１２２は後面部材１１２に当接している。後方部材１２の形状は、図１の形状に限定されず、取り付け場所に対応した種々の形状を採ることができる。本例のカードケース１０は、商品陳列棚の前端のレール部の横溝に装着されるものである。すなわち、後方部材１２の先端部が、当該レール部の横溝に挿入されて固定される。なお、水平部材１２２は後方部材１２の先端部が、レール部の横溝に深く入り過ぎることを防止するストッパーである。
【００１７】
次に、カードケース１０の使用方法の一例を説明する。カードケース１０は通常、商品陳列棚の前端のレール部の横溝に装着されている。カードケース１０の商品陳列棚の前端のレール部への装着は、指で後方部材１２を上から横溝に押し込むようにして装着する。次に、通常価格を表示した大カード類Ａを上部が開口した大カード類挿入溝１３に差し込む。通常の販売方法、すなわち値引き価格がない場合、この状態で使用される。この場合、裏面部材１４で形成されるクリップ部は下側且つ裏側であり、顧客からは見え難いため、表示の障害とならない。
【００１８】
次に、値引き価格等の副情報を表示したい場合、値引き価格等を表示した小カード類Ｂを小カード類挿入溝１８の開口部分から差し込み、吊り下げ状に支持させる。後面部材１１２と裏面部材１４で形成されるクリップ部に挿入されるカード部分は、価格表示がされていない上側縁部である。従って、２枚の板状部材１１１、１１２の下端１９から下方へ垂れる部分は値引き価格が表示されたカード部分であり、値引き価格が顧客の目に留まる。また、２枚の板状部材１１１、１１２の下端１９から下方へ突出する裏面部材１４の先端部１４２があるため、小カード類Ｂが顧客側に向くようになる。
【００１９】
なお、小カード類挿入溝１８の開口部分からカード類を入れたりあるいは出したりする際、特に裏面部材１４３を指で広げたりする必要はなく、そのまま、小カード類挿入溝１８の開口からカード類を入れたり、出したりできる。このため、隣接する他の商品を表示する他の小カード類Ｂが、カード類の出し入れで脱落する等の影響はない。
【００２０】
２枚の板状部材１１１、１１２が背中合わせの表示部は、後面部材１１２と裏面部材１４で形成されるクリップ部よりも大きなカード類が装着可能である。しかし、２枚の板状部材１１１、１１２が背中合わせの表示部に、必ずしも大カード類が装着される必要はなく、例えば小カード類と同等もしくはそれより小さなカード類が装着されても本考案の範囲内である。
【００２１】
大カード類や小カード類における「カード類」とは、紙体のカード、プラスティック板、ＰＯＰ（point of purpose）紙、値札などが挙げられ、材質など問わず、情報を表示する紙状、板状のもの全てを含む。
【符号の説明】
【００２２】
１０      カードケース
１１      前方部材
１２      後方部材
１３      大カード類挿入溝
１４      裏面部材
１８      小カード類挿入溝
１１１、１１２      板状部材
１１２      後面部材
１４３      裏面部材
１４４      下端
１４５      下方部分（接合点）
【図１】
0003151377.tif 000003
【図２】
0003151377.tif 000004
【図３】
0003151377.tif 000005